(57)【特許請求の範囲】
【請求項１】
モバイル通信システム（１）の性能を測定するための装置（２）であって、前記モバイル通信システム（１）は、基地局（１０）と、パケットゲートウェイ（１２）と、前記基地局（１０）および前記パケットゲートウェイ（１２）を接続するバックホールネットワーク（１１）とを含み、前記装置（２）は、
第１の測定モバイルインターフェース（２１）および第２の測定モバイルインターフェース（２２）であって、前記第１の測定モバイルインターフェース（２１）は、前記第２の測定モバイルインターフェース（２２）に宛てられたパケット（Ｐｋ）を、前記パケット（Ｐｋ）が、前記基地局（１０）から前記パケットゲートウェイ（１２）へ、および、前記パケットゲートウェイ（１２）から前記基地局（１０）へ送信されるように、前記基地局（１０）を介して送信するように構成され、前記第２の測定モバイルインターフェース（２２）は、前記パケット（Ｐｋ）を、前記基地局（１０）から受信するように構成された、第１の測定モバイルインターフェース（２１）および第２の測定モバイルインターフェース（２２）と、
測定プローブ（２３）であって、前記基地局（１０）のバックホールインターフェース（１０６）に接続されるのに適し、かつ、前記パケット（Ｐｋ）を、前記基地局（１０）から前記パケットゲートウェイ（１２）へ送信されるもの（Ｐｋｅ）として、または、前記基地局（１０）において前記パケットゲートウェイ（１２）から受信されるもの（Ｐｋｅ’）として検出するのに適した測定プローブ（２３）と
を備え、前記測定プローブ（２３）は、前記第１の測定モバイルインターフェース（２１）から送信される前記パケット（Ｐｋ）または前記第２の測定モバイルインターフェース（２２）において受信される前記パケット（Ｐｋ）に関する少なくとも１つの第１の性能パラメータを生成し、前記測定プローブ（２３）によって検出される前記パケット（Ｐｋ）に関する少なくとも１つの第２の性能パラメータを生成し、前記少なくとも１つの第１の性能パラメータまたは前記少なくとも１つの第２の性能パラメータを、前記モバイル通信システム（１）の性能を測定するために使用するようにさらに構成された、装置（２）。
【請求項２】
請求項１に記載の装置（２）であって、前記測定プローブ（２３）は、前記パケット（Ｐｋ）を、前記基地局（１０）から前記パケットゲートウェイ（１２）に送信されるもの（Ｐｋｅ）として、または、前記基地局（１０）において前記パケットゲートウェイ（１２）から受信されるもの（Ｐｋｅ’）として、前記基地局（１０）から前記パケットゲートウェイ（１２）に送信されるかまたは記基地局（１０）において前記パケットゲートウェイ（１２）から受信されるトラフィックのコピーを受信し、前記トラフィックの前記コピーを、前記パケット（Ｐｋ）を一意に識別する前記パケット（Ｐｋ）のフィールドの値に基づいてフィルタリングすることによって検出するように構成された装置（２）。
【請求項３】
請求項２に記載の装置（２）であって、自身の値が前記パケット（Ｐｋ）を一意に識別する前記フィールドは、前記パケット（Ｐｋ）の送信元アドレスフィールドまたは宛先アドレスフィールドである、装置（２）。
【請求項４】
請求項２に記載の装置（２）であって、自身の値が前記パケット（Ｐｋ）を一意に識別する前記フィールドは、前記パケット（Ｐｋ）のマーキングフィールドである、装置（２）。
【請求項５】
請求項２から４のいずれかに記載の装置（２）であって、前記測定プローブ（２３）は、前記パケット（Ｐｋ）を、フィルタリングする前に復号するように構成された、装置（２）。
【請求項６】
請求項２から４のいずれかに記載の装置（２）であって、前記測定プローブ（２３）は、前記トラフィックの前記コピーを、前記トラフィックの前記コピーが前記基地局（１０）によって暗号化され前記パケットゲートウェイ（１２）に送信される前、または、前記トラフィックの前記コピーが前記基地局（１０）において前記パケットゲートウェイ（１２）から受信され前記基地局（１０）によって復号された後にフィルタリングするように構成された、装置（２）。
【請求項７】
請求項１から６のいずれか一項に記載の装置（２）であって、前記測定プローブ（２３）は、
前記少なくとも１つの第１の性能パラメータに基づく、前記第１の測定モバイルインターフェース（２１）と前記第２の測定モバイルインターフェース（２２）の間のエンドツーエンドな性能測定と、
前記少なくとも１つの第１の性能パラメータおよび前記少なくとも１つの第２の性能パラメータに基づく、前記第１の測定モバイルインターフェース（２１）から前記基地局（１０）の前記バックホールインターフェース（１０６）への、および、前記基地局（１０）の前記バックホールインターフェース（１０６）から前記第２の測定モバイルインターフェース（２２）への２方向性能測定と、
前記少なくとも１つの第２の性能パラメータに基づく、前記基地局（１０）の前記バックホールインターフェース（１０６）と前記パケットゲートウェイ（１２）の間の往復性能測定と
のうちの少なくとも１つを実行するように構成された、装置（２）。
【請求項８】
請求項１から７のいずれかに記載の装置（２）であって、
前記第１の測定モバイルインターフェース（２１）を前記基地局（１０）のアンテナシステム（１０３）と前記基地局（１０）の無線リモートユニット（１０２）の間の有線接続（１０５）と接続するのに適した第１の有線接続（２５）であって、前記第１の測定モバイルインターフェース（２１）は、前記パケット（Ｐｋ）を、前記基地局（１０）の前記無線リモートユニット（１０２）に、前記第１の有線接続（２５）を介して、前記パケット（Ｐｋ）が前記アンテナシステム（１０３）をバイパスするように送信するように構成された、第１の有線接続（２５）と、
前記第２の測定モバイルインターフェース（２２）を前記基地局（１０）の前記アンテナシステム（１０３）と前記基地局（１０）の前記無線リモートユニット（１０２）の間の前記有線接続（１０５）と接続するのに適した第２の有線接続（２６）であって、前記第２の測定モバイルインターフェース（２２）は、前記パケット（Ｐｋ）を、前記基地局（１０）の前記無線リモートユニット（１０２）から、前記第２の有線接続（２６）を介して、前記パケットが前記アンテナシステム（１０３）をバイパスするように受信するように構成された、第２の有線接続（２６）と
をさらに備える装置（２）。
【請求項９】
請求項８に記載の装置（２）であって、前記第１の有線接続（２５）および前記第２の有線接続（２６）の少なくとも１つは、前記第１の測定モバイルインターフェース（２１）または前記第２の測定モバイルインターフェース（２２）を前記アンテナシステム（１０３）の主アンテナ（１０３（１））に接続するのに適した主接続（２５（１）、２６（１））と、前記第１の測定モバイルインターフェース（２１）または前記第２の測定モバイルインターフェース（２２）を前記アンテナシステム（１０３）の副アンテナ（１０３（２））に接続するのに適した副接続（２５（２）、２６（２））とを備える、装置（２）。
【請求項１０】
請求項８または９に記載の装置（２）であって、前記装置（２）は、２つの主ポート（ｐ１、ｐ２）および２つの連結ポート（ｐ３、ｐ４）を含む方向性結合器（３４）をさらに備え、前記方向性結合器（３４）は、前記アンテナシステム（１０３）と前記無線リモートユニット（１０２）の間の前記有線接続（１０５）に、前記２つの主ポート（ｐ１、ｐ２）が前記アンテナシステム（１０３）と前記無線リモートユニット（１０２）に接続されるように挿入するのに適したものであり、前記第１の有線接続（２５）および前記第２の有線接続（２６）は、前記方向性結合器（３４）の前記２つの連結ポート（ｐ３、ｐ４）の１つに共同接続された、装置（２）。
【請求項１１】
請求項８から１０のいずれかに記載の装置（２）であって、前記第１の有線接続（２５）および前記第２の有線接続（２６）の少なくとも１つは、少なくとも１つの可変減衰器（３１、３２）を備える、装置（２）。
【請求項１２】
請求項１１に記載の装置（２）であって、前記第１の有線接続（２５）および前記第２の有線接続（２６）の少なくとも１つは、前記第１の有線接続（２５）および前記第２の有線接続（２６）の前記少なくとも１つを、上流支線および下流支線に分割する２つのサーキュレータ（３５、３５’）を備え、前記上流支線および前記下流支線の各々は、それぞれの可変減衰器（３１ｄ、３１ｕ）を備える、装置（２）。
【請求項１３】
モバイル通信システム（１）のための基地局（１０）と、請求項１から１５のいずれか一項に記載の、前記モバイル通信システム（１）の性能を測定するための装置（２）とを備えるアセンブリ。
【請求項１４】
請求項１３に記載のアセンブリであって、前記装置（２）は、前記基地局（１０）の中に組み込まれる、アセンブリ。
【請求項１５】
モバイル通信システム（１）の性能を測定するための方法であって、前記モバイル通信システム（１）は、基地局（１０）と、パケットゲートウェイ（１２）と、前記基地局（１０）および前記パケットゲートウェイ（１２）を接続するバックホールネットワーク（１１）とを含み、前記方法は、
第１の測定モバイルインターフェース（２１）と、第２の測定モバイルインターフェース（２２）と、測定プローブ（２３）とを含む装置（２）を提供し、前記測定プローブ（２３）を前記基地局（１０）のバックホールインターフェース（１０６）に接続するステップと、
前記第１の測定モバイルインターフェース（２１）により、前記第２の測定モバイルインターフェース（２２）に宛てられたパケット（Ｐｋ）を前記基地局（１０）に送信するステップであって、前記パケット（Ｐｋ）は、前記基地局（１０）から前記パケットゲートウェイ（１２）へ、前記パケットゲートウェイ（１２）から前記基地局（１０）へ、および、前記基地局（１０）から前記第２の測定モバイルインターフェース（２２）へ送信される、ステップと、
前記測定プローブ（２３）により、前記パケット（Ｐｋ）を、前記基地局（１０）から前記パケットゲートウェイ（１２）へ送信されるもの（Ｐｋｅ）として、または、前記基地局（１０）において前記パケットゲートウェイ（１２）から受信されるもの（Ｐｋｅ’）として検出するステップと、
前記測定プローブ（２３）により、前記第１の測定モバイルインターフェース（２１）から送信される前記パケット（Ｐｋ）または前記第２の測定モバイルインターフェース（２２）において受信される前記パケット（Ｐｋ）に関する少なくとも１つの第１の性能パラメータを生成し、前記測定プローブ（２３）によって検出される前記パケット（Ｐｋ）に関する少なくとも１つの第２の性能パラメータを生成し、前記少なくとも１つの第１の性能パラメータまたは前記少なくとも１つの第２の性能パラメータを、前記モバイル通信システム（１）の性能を測定するために使用するステップと
を含む、方法。
【発明の詳細な説明】
【技術分野】
【０００１】
本発明は、一般に、モバイル通信システムの分野に関する。本発明は、詳細には、たとえば、（限定するものではないが）、ＬＴＥ（Ｌｏｎｇ  Ｔｅｒｍ  Ｅｖｏｌｕｔｉｏｎ）通信システムなどの、モバイル通信システムの性能を監視するための装置および方法に関する。
【背景技術】
【０００２】
知られている通り、各自のユーザ端末（たとえば、携帯電話、スマートフォン、タブレット、ラップトップＰＣなど）を持つ、地理的に広域に分散した複数のユーザは、モバイル通信システムを利用することにより、無線接続を介して電話サービスやデータサービスにアクセスできるようになる。モバイル通信システムの例としては、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＨＳＤＰＡ（Ｈｉｇｈ−Ｓｐｅｅｄ  Ｄｏｗｎｌｉｎｋ  Ｐａｃｋｅｔ  Ａｃｃｅｓｓ）、およびＬＴＥ（Ｌｏｎｇ  Ｔｅｒｍ  Ｅｖｏｌｕｔｉｏｎ）が挙げられる。
【０００３】
とりわけ、ＬＴＥに関して言えば、かかるモバイル通信システムは、無線アクセスネットワーク（Ｅ−ＵＴＲＡＮ、すなわち、Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋとも呼ばれるもの）、バックホールネットワーク、およびコアネットワーク（ＥＰＣ、すなわち、Ｅｖｏｌｖｅｄ  Ｐａｃｋｅｔ  Ｃｏｒｅとも呼ばれるもの）を含むのが典型である。無線アクセスネットワークは、特定地域に点在する、いくつかの基地局（ｅＮｏｄｅＢとも呼ばれる）を含む。典型的には、ｅＮｏｄｅＢの各局が、１つまたは複数のセルに対するカバレッジを提供する。各セルは、そのｅＮｏｄｅＢの周辺領域となる。特に、ｅＮｏｄｅＢは、自身のセル内に位置するユーザ端末と、トラフィックの交換を行う。いくつかのｅＮｏｄｅＢが、バックホールネットワークを介し、パケットゲートウェイ（ＰＧＷ、すなわち、Ｐａｃｋｅｔ  Ｄａｔａ  Ｎｅｔｗｏｒｋ  Ｇａｔｅｗａｙとも呼ばれる）に接続されるのが典型である。パケットゲートウェイは、コアネットワークへのアクセスを提供する。コアネットワークはＩＰネットワークであり、このネットワークが、さまざまなユーザ端末間でのトラフィックルーティングを可能にする、ルーティング機能を提供する。
【０００４】
ｅＮｏｄｅＢは、典型的には、自局がカバーするセルに属するトラフィックのベースバンド処理の実行を担う、ベースバンドユニット（Ｂａｓｅｂａｎｄ  Ｕｎｉｔ、短縮してＢＢＵ）を備える。さらに、ｅＮｏｄｅＢは、カバーされるセルごとのリモート無線ユニット（Ｒｅｍｏｔｅ  Ｒａｄｉｏ  Ｕｎｉｔ、短縮してＲＲＵ）を備えるのが典型である。このＲＲＵが、自身のセルに属するトラフィックに関する、ベースバンドドメインと無線周波数ドメインの間の変換の実行を担当する。また、ｅＮｏｄｅＢはアンテナシステムを備えるのが典型である。このアンテナシステムは、ｅＮｏｄｅＢによってカバーされるセル内に位置する端末との無線周波数信号形態でのトラフィック交換を担う、１つまたは複数のアンテナを備える。アンテナの数は、カバーされるセルの数、無線キャリアの数、およびモバイル通信システムのＭＩＭＯ（Ｍｕｌｔｉｐｌｅ  Ｉｎｐｕｔ  Ｍｕｌｔｉｐｌｅ  Ｏｕｔｐｕｔ：多入力多出力）機能に応じたものとなる。
【０００５】
ＢＢＵ（任意でＲＲＵが内蔵される）は、保護された屋内に設置されるのが典型である一方、アンテナシステムは、屋外に位置するのが典型である。ＲＲＵは、典型的には、同軸ケーブルを用いてアンテナシステムに接続される。
【０００６】
典型的には、ｅＮｏｄｅＢ（特に、そのＢＢＵ）は、バックホールネットワークを介してコアネットワークに接続するための、バックホールインターフェース（たとえば、光ギガビットイーサネットインターフェース）を備える。ＢＢＵの光イーサネットインターフェースは、１対の光ファイバ（１本につき１方向のトラフィック）を介し、バックホールネットワークに接続されるのが典型である。
【０００７】
たとえば、遅延、ジッタ、またはトラフィックスループットに関し、モバイル通信システムの性能を測定するためのシステムが知られている。
かかるシステムは、典型的には、クライアント−サーバ手法に基づくものであり、同手法により、測定クライアント（典型的には、好適なクライアントソフトウェアを備えた、携帯電話、またはモバイルコネクティビティのあるＰＣもしくはタブレット）は、コアネットワーク内に実装された測定サーバとの通信を行う。測定クライアントは、人工パケットのフローを生成し、それらを測定サーバに向け、ｅＮｏｄｅＢ、バックホールネットワーク、パケットゲートウェイ、およびコアネットワークを経由して送信する。次いで、測定サーバは、パケットをクライアントに再送する。その後、クライアントは、クライアント−サーバ間のエンドツーエンド接続の性能を示す、性能パラメータを計算することができる。
【０００８】
本出願と同一の出願人名義によるＷＯ  ２０１０／０７２２５１では、測定するパケットフローのパケットへのマーキングにより、ブロックを交互にしてパケットフローを分割する、パケットロス測定が開示されている。送信時および受信時の各ブロックについてカウンタが生成され、これを用いることにより、パケットフローのパケットロス計算が可能となる。
【０００９】
さらに、本出願と同一の出願人名義によるＷＯ  ２０１１／０７９８５７では、測定対象となるパケットフローのパケットにマーキングを施し、交互にしたブロックの中でそのパケットフローが分割されるようにし、送信側および受信側の双方において、マーキングされたこれらのパケットのタイムスタンプを生成するという性能測定が開示されている。
【発明の概要】
【発明が解決しようとする課題】
【００１０】
本発明者らは、モバイル通信ネットワークの性能測定を目的とした上記の既知のクライアント−サーバ型システムには、いくつかの欠点が存在することを認識している。
まず、測定サーバは、いくつかの測定クライアントを用いて測定セッションをサポートする、集中型エンティティとされるのが典型である。したがって、その性能（たとえば、その応答時間）は、同時に開かれている測定セッションの数に左右されてしまう。
【００１１】
そのうえ、測定するパケットを認識する機能を有するのは測定クライアントと測定サーバのみであることから、クライアント−サーバ間のエンドツーエンド測定しかできない。ところが、クライアントからサーバへのパケットが辿る経路は、いくつかのセクション、すなわち、無線アクセスセクション（測定クライアントとｅＮｏｄｅＢの間）、バックホールセクション（ｅＮｏｄｅＢのバックホールインターフェースとパケットゲートウェイの間）、およびコアセクション（パケットゲートウェイと測定サーバの間）を含む。よって、性能測定による結果が思わしくない場合、どのセクションが原因かを判断することは不可能である。
【００１２】
この後者の欠点は、原理的には、たとえば、上記のＷＯ  ２０１０／０７２２５１およびＷＯ  ２０１１／０７９８５７で開示された性能測定技術であれば軽減される。マーキングを行うことにより、送信経路のいかなる中間点においても、測定対象のパケットは認識可能となる。よって、マーキングされたパケットを認識し、関連タイムスタンプを生成することが可能な、好適なプローブ（たとえば、適切にプログラミングされたＰＣまたはＬｉｎｕｘマシン）を、経路の任意の中間位置に設けることができる。したがって、経路のセクションごとの測定パラメータを得ることが可能となる。たとえば、プローブは、ｅＮｏｄｅＢのすぐ上流に配置されてよい。このようにすることで、無線アクセスセクションだけに対する、独立した性能測定が実行可能となる。他のプローブを用いて、経路の他のセクションに対する個別の測定を実行することも可能である。たとえば、パケットゲートウェイに別のプローブを設けることにより、バックホールセクションだけに対する、独立した性能測定が実行可能となる。
【００１３】
しかし、本発明者らは、ＷＯ  ２０１０／０７２２５１およびＷＯ  ２０１１／０７９８５７の性能測定のクライアント−サーバ型実装では、関連するマシンのすべて（すなわち、測定サーバ、測定クライアント、およびプローブ）が相互に同期（すなわち、関連マシンのすべてが整合性の取れたタイムスタンプを生成）しない限り、往復測定の場合にしか正確な結果が得られないことを認識している。よって、上流方向と下流方向で発生し得る性能の不均整（２方向測定が可能な場合にのみ認識可能となる）を測定することはできない。
【００１４】
いずれにせよ、本発明者らは、ＷＯ  ２０１０／０７２２５１やＷＯ  ２０１１／０７９８５７による測定以外の測定に対しても、とりわけ、測定するパケットのマーキングを必要としない測定（たとえば、既知のＰｉｎｇ機構に基づく測定）を含めた既知のあらゆる性能測定に対しても、無線アクセスセクションおよびバックホールセクションに関する個別の性能測定を提供することが望ましいものと認識している。
【００１５】
このような観点から、本発明者らは、上記欠点の少なくとも１つを解消する、モバイル通信システム（限定するものではないが、特に、ＬＴＥモバイル通信システム）の性能を測定するための装置および方法を提供するという課題に取り組んでいる。
【００１６】
詳細に記すと、本発明者らは、少なくとも無線アクセス部分に対する正確かつ確実な２方向測定を提供することが可能な、モバイル通信システムの性能を測定するための装置および方法を提供するという課題に取り組んでいる。この測定は、異なる装置の同期を一切必要とせず、またパケットのマーキングも一切必要としない。また、その測定性能は、同モバイル通信システムにおいて同時に開かれている測定セッションの数に左右されないものとなる。
【課題を解決するための手段】
【００１７】
本発明によれば、上記の問題は、２つの測定モバイルインターフェースおよび測定プローブを備えた性能測定装置によって解決される。これらの測定モバイルインターフェースは相互に測定パケットを交換するが、これは同一の基地局を介して行われる（各測定モバイルインターフェースが同一装置内に含まれ、同じ場所に位置するからである）。詳細に記すと、一方の測定モバイルインターフェースが、他方の測定モバイルインターフェース宛のパケットを生成し、それらを装置が位置するエリアをカバーする基地局に送信する。基地局は、パケットをカプセル化し、パケットゲートウェイに転送する。パケットゲートウェイは、同じ基地局にパケットを返送する。最後に基地局がパケットを他方の測定モバイルインターフェースに転送する。
【００１８】
本明細書および各請求項において、「パケットゲートウェイ」という表現は、ルーティング機能を備えるとともに、基地局から受信したカプセル化パケットから第１の測定モバイルインターフェースによって発信されたパケットを抽出し、それらの宛先アドレスを読み取り、そのパケットの宛先アドレスに基づいてそれらをカプセル化して基地局に返送するという判断を下すことが可能な、基地局の上流に位置する、第１の装置を指す。よって、本発明の趣旨の範囲内では、「パケットゲートウェイ」という表現は、以下のどちらをも区別なく指し得る。
【００１９】
−  バックホールネットワークを介して基地局が接続される、前出の特徴を有するコアネットワークの装置。
−  前出の特徴を専用的に備えており、たとえば、バックホールネットワーク経由でカプセル化パケットが辿る経路沿いの中間地点における測定を明確な目的として配置される装置（たとえば、サーバ）。
【００２０】
パケットは基本的に装置とパケットゲートウェイの間を行き来するため、パケットが辿る経路は、２つの無線アクセスセクション（送信を行う測定モバイルインターフェースから基地局まで、そして基地局から受信を行う測定モバイルインターフェースまで）および２つのバックホールセクション（基地局からパケットゲートウェイまで、そしてパケットゲートウェイから基地局まで）を含む。
【００２１】
さらに、本発明によれば、装置の測定プローブは、基地局のバックホールインターフェース（すなわち、バックホールネットワークに基地局を接続するためのインターフェース）に接続される。測定プローブはパケットを生成したのと同じ装置内に含まれるため、基地局のバックホールインターフェースを通じて送受信されるこれらのパケットは、たとえマーキングが施されていなくとも、同測定プローブによって認識することが可能となる。
【００２２】
よって、測定プローブは、測定モバイルインターフェースによって送受信されるパケットに関する性能パラメータ（たとえば、タイムスタンプ）と、基地局のバックホールインターフェースにおいて検出されるパケットに関する性能パラメータ（たとえば、タイムスタンプ）との両方を生成することができる。第１のパラメータだけでは、２つの測定モバイルインターフェース間の接続に関するエンドツーエンドな測定だけしか実現されないが、第１および第２のパラメータを組み合わせることで、好都合なことに、送信経路の無線アクセスセクションに関する２方向測定と、送信経路のバックホールセクションの往復測定とが個別に実現される。
【００２３】
先に触れたように、装置の測定プローブは、測定対象のパケットが何らマーキングを含んでいなくとも、それらを認識することが可能である。よって、上記の方法は、パケットマーキングに基づかない測定（たとえば、Ｐｉｎｇ機構に基づくもの）も含め、既知のあらゆるタイプの性能測定にうまく適用することができる。
【００２４】
また、別々の装置が同期する必要もない。なぜなら、性能測定を可能にするパラメータ（たとえば、送信タイムスタンプや受信タイムスタンプなど）はすべて、一意の装置によって生成されるからである。
【００２５】
さらに、装置は、集中型エンティティを必要とすることなく、自律的に測定セッションの全体を実行することができるため、測定性能は、モバイル通信システムにおいて同時に開かれている測定セッションの数に左右されることがない。
【００２６】
装置を単一で使用することには、さらなる利点がある。たとえば、性能を監視するために必要なハードウェアの量が減少し、性能監視コストを抑えられるという結果になる。
本発明の特に好ましい実施形態によれば、パケットを送受信するために、基地局のアンテナと無線で通信する代わりに、両方の測定モバイルインターフェースは、それぞれの有線接続を介し、ＲＲＵおよび基地局のアンテナシステムの間の有線接続（上述の通り、典型的には同軸ケーブルを含む）に接続される。よって、上流方向では、第１の測定モバイルインターフェースによって送信されたパケットは、アンテナシステムをバイパスし、ＲＲＵにおいて直接受信される。また、下流方向では、ＲＲＵによって発信されたパケットもやはりアンテナシステムをバイパスし、第２の測定モバイルインターフェースによって直接受信される。
【００２７】
本明細書で後に詳述するように、この変形形態により、特に、取り付けに関する問題を単純化し、測定結果の精度を向上させ、かつ測定結果を得ることを繰り返し可能にするといった、他の代替形態に勝るいくつかの利点がもたらされる。
【００２８】
第１の態様によれば、本発明は、モバイル通信システムの性能を測定するための装置であって、モバイル通信システムが、基地局と、パケットゲートウェイと、基地局およびパケットゲートウェイを接続するバックホールネットワークとを含み、装置（２）が、
・第１の測定モバイルインターフェースおよび第２の測定モバイルインターフェースであって、第１の測定モバイルインターフェースが、第２の測定モバイルインターフェースに宛てられたパケットを、基地局からパケットゲートウェイへ、またパケットゲートウェイから基地局へ送信されるように、基地局を介して送信するように構成され、第２の測定モバイルインターフェースが、パケットを、基地局から受信するように構成される、第１の測定モバイルインターフェースおよび第２の測定モバイルインターフェースと、
・測定プローブであって、基地局のバックホールインターフェースに接続されるのに適し、かつ基地局からパケットゲートウェイへ送信されるパケットを検出するのに適した、または基地局においてパケットゲートウェイから受信されるパケットを検出するのに適した、測定プローブと
を備え、測定プローブが、第１の測定モバイルインターフェースから送信されるパケットまたは第２の測定モバイルインターフェースにおいて受信されるパケットに関する少なくとも１つの第１の性能パラメータを生成し、バックホールプローブによって検出されるパケットに関する少なくとも１つの第２の性能パラメータを生成し、少なくとも１つの第１の性能パラメータまたは少なくとも１つの第２の性能パラメータを、モバイル通信システムの性能を測定するために使用するようにさらに構成される、装置を提供する。
【００２９】
測定プローブが、基地局からパケットゲートウェイに送信されるか基地局においてパケットゲートウェイから受信されるトラフィックのコピーを受信し、トラフィックのコピーをパケットを一意に識別するパケットのフィールドの値に基づいてフィルタリングすることにより、基地局からパケットゲートウェイに送信されるパケットまたは基地局においてパケットゲートウェイから受信されるパケットを検出するように構成されることが好ましい。
【００３０】
第１の変形形態によれば、自身の値がパケットを一意に識別するフィールドが、パケットの送信元アドレスフィールドまたは宛先アドレスフィールドとなる。
他の変形形態によれば、第１の測定モバイルインターフェース（２１）が、前記パケット（Ｐｋ）の送信前にそれらにマーキングするように構成される。マーキングは、各パケットのマーキングフィールドを同パケットと基地局において上流方向で受信した他のパケットと区別する事前定義された値に設定すること、および各パケットのマーキングフィールドを２つの事前定義された値のうちの１つに設定し、それらのパケットをマーキング値が交互となるようにパケットのブロックから成るシーケンスへと分割することのどちらかを含み得る。このような変形形態によれば、自身の値がパケットを一意に識別するフィールドが、パケットのマーキングフィールドとなる。
【００３１】
いくつかの実施形態によれば、測定プローブが、パケットをフィルタリングする前に、それらを復号するように構成される。そのためには、測定プローブが暗号化／復号キーを持つ必要がある。
【００３２】
あるいは、測定プローブが、トラフィックのコピーが基地局によって暗号化されパケットゲートウェイに送信される前、またはトラフィックのコピーが基地局においてパケットゲートウェイから受信され基地局によって復号された後に、トラフィックのコピーをフィルタリングするように構成される。
【００３３】
あるいは、パケット（Ｐｋ）を一意に識別するフィールドの値が、基地局からパケットゲートウェイへの送信前にパケットがカプセル化される、または基地局でのパケットゲートウェイからの受信後にパケットが非カプセル化される、別のパケットの別のフィールド内に、マッピングまたはコピーされる。その場合、測定プローブは、トラフィックのコピーを、元のパケットのフィールドの値がマッピングされる別のパケットの別のフィールドの値に基づいてフィルタリングするように構成される。
【００３４】
測定プローブは、
・少なくとも１つの第１の性能パラメータに基づく、第１の測定モバイルインターフェースと第２の測定モバイルインターフェースの間のエンドツーエンドな性能測定と、
・少なくとも１つの第１の性能パラメータおよび少なくとも１つの第２の性能パラメータに基づく、第１の測定モバイルインターフェースから基地局のバックホールへと基地局のバックホールインターフェースから第２の測定モバイルインターフェースへの２方向性能測定と、
・少なくとも１つの第２の性能パラメータに基づく、基地局のバックホールインターフェースとパケットゲートウェイの間の往復性能測定と
のうちの少なくとも１つを実行するように構成されることが好ましい。
【００３５】
好ましい実施形態によれば、装置が、
−  第１の測定モバイルインターフェースを基地局のアンテナシステムと基地局の無線リモートユニットの間の有線接続と接続するのに適した第１の有線接続であって、第１の測定モバイルインターフェースが、パケットがアンテナシステムをバイパスするように第１の有線接続を介して基地局の無線リモートユニットにパケットを送信するように構成される、第１の有線接続と、
−  第２の測定モバイルインターフェースを基地局のアンテナシステムと基地局の無線リモートユニットの間の有線接続と接続するのに適した第２の有線接続であって、第２の測定モバイルインターフェースが、パケットがアンテナシステムをバイパスするように第２の有線接続を介して基地局の無線リモートユニットからパケットを受信するように構成される、第２の有線接続と
をさらに備える。
【００３６】
好ましい実施形態によれば、第１の有線接続および第２の有線接続のうちの少なくとも一方が、第１の測定モバイルインターフェースまたは第２の測定モバイルインターフェースをアンテナシステムの主アンテナに接続するのに適した主接続、および第１の測定モバイルインターフェースまたは第２の測定モバイルインターフェースをアンテナシステムの副（ｓｅｃｏｎｄａｒｙ；二次）アンテナに接続するのに適した副接続を備える。
【００３７】
装置が、２つの主ポートおよび２つの連結ポートを有する方向性結合器をさらに備え、方向性結合器が、２つの主ポートがアンテナシステムと無線リモートユニットに接続されるようにアンテナシステムと無線リモートユニットの間の有線接続に挿入するのに適したものであり、第１の有線接続および第２の有線接続が、方向性結合器の２つの連結ポートの１つに共同接続されることが好ましい。
【００３８】
第１の有線接続および第２の有線接続のうちの少なくとも一方が、少なくとも１つの可変減衰器を備えることが好ましい。
特に好ましい変形形態によれば、第１の有線接続および第２の有線接続の少なくとも１つが、第１の有線接続および第２の有線接続の少なくとも１つを上流支線および下流支線に分割する２つのサーキュレータを備え、上流支線および下流支線の各々が、それぞれの可変減衰器を備える。
【００３９】
第２の態様によれば、本発明は、モバイル通信システムのための基地局と、上述したモバイル通信システムの性能を測定するための装置とを備える、アセンブリ（ａｓｓｅｍｂｌｙ；組立体）を提供する。
【００４０】
好ましい変形形態によれば、装置は、基地局内に組み込まれる。
第３の態様によれば、本発明は、モバイル通信システムの性能を測定するための方法であって、モバイル通信システムが、基地局と、パケットゲートウェイと、基地局およびパケットゲートウェイを接続するバックホールネットワークとを含み、
・第１の測定モバイルインターフェース、第２の測定モバイルインターフェース、および測定プローブを含む装置を提供し、測定プローブを基地局のバックホールインターフェースに接続するステップと、
・第１の測定モバイルインターフェースにより、第２の測定モバイルインターフェースに宛てられたパケットを基地局に送信するステップであって、パケットが、基地局からパケットゲートウェイへ、パケットゲートウェイから基地局へ、および基地局から第２の測定モバイルインターフェースへ送信されるものである、送信するステップと、
・測定プローブにより、基地局からパケットゲートウェイへ送信されるパケット、または基地局においてパケットゲートウェイ（１２）から受信されるパケットを検出するステップと、
・測定プローブにより、第１の測定モバイルインターフェースから送信されるパケットまたは第２の測定モバイルインターフェースにおいて受信されるパケットに関する少なくとも１つの第１の性能パラメータを生成し、バックホールプローブによって検出されるパケットに関する少なくとも１つの第２の性能パラメータを生成し、少なくとも１つの第１の性能パラメータまたは少なくとも１つの第２の性能パラメータを、モバイル通信システムの性能を測定するために使用するステップと
を含む、方法を提供する。
【００４１】
本発明は、以下の詳細な記述から、より明瞭なものとなろう。かかる記述は、添付の図面を参照しながら読まれるべきであり、限定ではなく例示を目的として提供されるものである。
【図面の簡単な説明】
【００４２】
【図１】本発明の第１の実施形態による、モバイル通信システムおよび性能測定装置を示す概略図である。
【図２】図１のモバイル通信システムおよび性能測定装置の動作を示すフローチャートである。
【図３】第１の変形形態による、図１の装置の一部をより詳細に示す図である。
【図４】第２の変形形態による、図１の装置の一部をより詳細に示す図である。
【図５】本発明の第２の実施形態による、モバイル通信システムおよび性能測定装置を示す概略図である。
【図６】図１の装置の代替適用例を示す概略図である。
【発明を実施するための形態】
【００４３】
図１は、本発明の一実施形態による、モバイル通信システム１および性能測定装置２を示す概略図である。
モバイル通信システム１は、いくつかの基地局１０、バックホールネットワーク１１、パケットゲートウェイ１２、およびネットワーク１３を含む。ネットワーク１３は、パケットゲートウェイ１２の先に存在しており、モバイル通信システム１のコアネットワーク、ならびに／あるいはＩＰバックボーンおよび／またはＩＰネットワークを備え得る。基地局１０は、無線アクセスネットワークを形成し、特定地域に点在するものとなる。図１では、簡単のため、基地局１０が１つだけ描写されている。基地局１０は、バックホールネットワーク１１を介し、パケットゲートウェイ１２に接続されるのが好ましい。パケットゲートウェイ１２は、バックホールネットワーク１１をネットワーク１３と接続する。
【００４４】
たとえば、モバイル通信システム１は、ＬＴＥモバイル通信システムであってよい。その場合、基地局１０は、Ｅ−ＵＴＲＡＮを形成するｅＮｏｄｅＢとなり、バックホールネットワーク１１は、ＩＰネットワークとなり、パケットゲートウェイ１２は、ＰＧＷ（Ｐａｃｋｅｔ  Ｄａｔａ  Ｎｅｔｗｏｒｋ  Ｇａｔｅｗａｙ）となり、ネットワーク１３は、ＩＰベースであるＥＰＣ（Ｅｖｏｌｖｅｄ  Ｐａｃｋｅｔ  Ｃｏｒｅ）となる。
【００４５】
各基地局１０は、ベースバンドユニット（ＢＢＵ）１０１、カバーされるセルごとのＲＲＵ１０２、およびいくつかのアンテナを持つアンテナシステム１０３を備えることが好ましい。上で論じたように、ＲＲＵ１０２の数は、カバーされるセルの数に応じたものとなり、アンテナシステム１０３に含まれるアンテナの数は、カバーされるセルの数、無線キャリアの数、およびモバイル通信システム１のＭＩＭＯ（Ｍｕｌｔｉｐｌｅ  Ｉｎｐｕｔ  Ｍｕｌｔｉｐｌｅ  Ｏｕｔｐｕｔ）機能に応じたものとなる。非限定的な例として、以下の記述では、図１に示された基地局１０は、単一のセルにカバレッジを提供し、単一の無線キャリア上で動作し、２ｘ２のＭＩＭＯ機能を有するものと仮定する。したがって、図１の基地局１０が備えるＲＲＵ１０２は１つであり、基地局１０のアンテナシステム１０３は、（図１には示されない）２つのアンテナを備えたものとなる。
【００４６】
ＢＢＵ１０１がトラフィックのベースバンド処理の実行を担い、ＲＲＵ１０２はベースバンドドメインと無線周波数ドメインの間の変換を担当することが好ましい。ＢＢＵ１０１が保護された屋内に設置され、アンテナシステム１０３は屋外に位置することが好ましい。ＲＲＵ１０２は、ＢＢＵ１０１の内部に組み込んでも、独立したデバイスとしても構わない（図１では、後者のオプションが非限定的な例として描写されている）。ＢＢＵ１０１とＲＲＵ１０２が別個のデバイスとなる場合、両者は有線接続１０４（好ましくは光ファイバ）によって相互接続されることが好ましい。さらに、ＲＲＵ１０２は、有線接続１０５（同軸ケーブルを含むことが好ましい）により、アンテナシステム１０３に接続されることが好ましい。
【００４７】
ＢＢＵ１０１は、バックホールネットワーク１１に接続するためのバックホールインターフェース１０６を備えることが好ましい。詳細に記すと、バックホールインターフェース１０６は、双方向バックホールリンク１０７により、バックホールネットワーク１１に接続されることが好ましい。モバイル通信システム１がＬＴＥシステムであれば、バックホールインターフェース１０６を光ギガビットイーサネットインターフェースとすることができ、その場合、バックホールリンク１０７は、１対の光ファイバ（一方は上流方向用、他方は下流方向用）を含む。
【００４８】
性能測定装置２は、第１の測定モバイルインターフェース２１および第２の測定モバイルインターフェース２２を備えることが好ましい。
第１の測定モバイルインターフェース２１および第２の測定モバイルインターフェース２２は、装置２に取り外し可能に差し込まれた差し込み可能デバイスの形をとることが可能であり、また、装置２に組み込まれたモデムユニットの形をとることも可能である。第１の測定モバイルインターフェース２１および第２の測定モバイルインターフェース２２は、基地局１０と測定パケットを交換できるように、同局に接続されることが好ましい。
【００４９】
この目的のために、図示しない本発明のいくつかの変形形態によれば、第１の測定モバイルインターフェース２１および第２の測定モバイルインターフェース２２は、アンテナシステム１０３によってカバーされるセル内に位置するそれぞれのアンテナを備える。したがって、このような変形形態によれば、測定モバイルインターフェース２１および２２は、インターフェース２１および２２のアンテナならびに基地局１０のアンテナシステム１０３によって実装される無線接続を介して、基地局１０に接続される。
【００５０】
しかし、（図１に示す）好ましい変形形態によれば、第１の測定モバイルインターフェース２１および第２の測定モバイルインターフェース２２は、それぞれの有線接続を介して基地局１０に接続される。詳細に記すと、この好ましい変形形態によれば、第１の測定モバイルインターフェース２１および第２の測定モバイルインターフェース２２は、それぞれの有線接続２５、２６により、ＲＲＵ１０２とアンテナシステム１０３の間の有線接続（同軸ケーブル）１０５に接続される。インターフェース２１、２２と有線接続１０５の間の接続２５、２６は、同軸ケーブル長および他の無線周波数受動部品を含む（これらについては、図３を参照しながら本明細書で後に詳述する）。この好ましい変形形態は、本明細書で後に詳述する、いくつかの利点をもたらすものである。
【００５１】
また、性能測定装置２は、測定プローブ２３を備える。
装置２の測定プローブ２３は、ＢＢＵ１０１のバックホールインターフェース１０６に接続されることが好ましい。詳細に記すと、図１に示す実施形態によれば、測定プローブ２３は、バックホールリンク１０７に接続される２つのインターフェース２４、２４’を介し、バックホールインターフェース１０６に接続される。より詳細には、バックホールリンク１０７が１対の光ファイバ（１本につき１方向のトラフィック）を含む場合、測定プローブ２３は、それぞれのインターフェース２４、２４’（たとえば、ＬＴＥの場合はそれぞれのイーサネットインターフェース）を介し、バックホールリンク１０７の各光ファイバに接続される。
【００５２】
性能測定装置２は、ＢＢＵ１０１と同じ場所に配置されることが好ましい。詳細に記すと、性能測定装置２は、保護された屋内の同一箇所（たとえば、キャビネットや建築物の地階）で、ＢＢＵ１０１とともに配置されることが好ましい。このようにすることで、性能測定装置２に許可なくアクセスすることを防ぐことができる。また、本明細書で後に詳述するように、有線接続２５、２６の長さを最短にすることも可能となる。
【００５３】
以下、モバイル通信システム１および性能測定装置２の動作について、図２のフローチャートを参照しながら詳述する。図２では、フローチャートの右側にモバイル通信システム１によって実行されるステップが示されており、フローチャートの左側に性能測定装置２によって実行されるステップが示されている。
【００５４】
本発明によれば、第１の測定モバイルインターフェース２１は、第２の測定インターフェース２２に宛てたパケットＰｋのフローを生成することが好ましい。よって、各パケットＰｋは、第１の測定モバイルインターフェース２１のアドレスを送信元アドレスとして含み、第２の測定モバイルインターフェース２２のアドレスを宛先アドレスとして含むことが好ましい。モバイル通信システム１がＬＴＥシステムである場合、パケットＰｋはＩＰパケットとなり、測定モバイルインターフェース２１、２２のアドレスはＩＰアドレスとなる。第１の測定モバイルインターフェース２１および第２の測定モバイルインターフェース２２のアドレスは、パケットゲートウェイ１２により、各々に対して動的に割り当てられることが好ましい。
【００５５】
装置２によって実行される性能測定が、たとえば上記のＷＯ  ２０１０／０７２２５１やＷＯ  ２０１１／０７９８５７において記述されるようなパケットマーキングに基づくものであるなら、第１の測定モバイルインターフェース２１も、生成された各パケットＰｋにマーキングすることが好ましい。詳細に記すと、第１の測定モバイルインターフェース２１は、パケットヘッダのフィールドを２つの二者択一のマーキング値（たとえば、マーキングフィールドが単一ビットであれば「０」と「１」）のうちの１つに設定し、交互にしたブロックの中でパケットＰｋのフローが分割されるように周期的にマーキング値を変更することにより、パケットＰｋに対するマーキングを行う。
【００５６】
その場合、第１の測定モバイルインターフェース２１は、第２の測定モバイルインターフェース２２宛のパケットＰｋを、基地局１０に送信することが好ましい（ステップ２０１）。図１に示した好ましい実施形態によれば、ステップ２０１において、パケットＰｋは、無線周波数信号の形で、有線接続２５を介して有線接続１０５に送り込まれるため、アンテナシステム１０３をバイパスして直接ＲＲＵ１０２に到達する。
【００５７】
その後、基地局１０は、受信したパケットＰｋをカプセル化して、パケットゲートウェイ１２宛のカプセル化パケットＰｋｅのフローとすることが好ましい（ステップ２０２）。詳細に記すと、ステップ２０２において、ＲＲＵ１０２はまず、パケットＰｋを搬送する無線周波数信号について、無線周波数ドメインからベースバンドドメインへの変換を実行する。次いで、ＲＲＵ１０２は、パケットＰｋを搬送するベースバンド信号をＢＢＵ１０１に転送し、ＢＢＵ１０１は、自身のベースバンド処理（たとえば、パケットＰｋの抽出）を実行する。その後、ステップ２０２において、ＢＢＵ１０１は、受信したパケットＰｋをカプセル化して、パケットゲートウェイ１２宛のカプセル化パケットＰｋｅのフローとすることが好ましい。カプセル化パケットＰｋｅの各々は、基地局１０のアドレスを送信元アドレスとして含み、パケットゲートウェイ１２のアドレスを宛先アドレスとして含むことが好ましい。モバイル通信システム１がＬＴＥシステムである場合、やはり、カプセル化パケットＰｋｅはＩＰパケットとなり、基地局１０およびパケットゲートウェイ１２のアドレスはＩＰアドレスとなる。任意で、ＢＢＵ１０１は、パケットＰｋをカプセル化する前に、それらを暗号化してもよい。
【００５８】
次いで、基地局１０は、カプセル化パケットＰｋｅを、パケットゲートウェイ１２に転送することが好ましい（ステップ２０３）。詳細に記すと、ステップ２０３において、ＢＢＵ１０１は、カプセル化パケットＰｋｅを、バックホールインターフェース１０６およびバックホールリンク１０７を介し、バックホールネットワーク１１に送信することが好ましい。バックホールネットワーク１１は、カプセル化パケットＰｋｅを、パケットゲートウェイ１２にルーティングすることが好ましい。
【００５９】
パケットゲートウェイ１２は、パケットＰｋｅを非カプセル化することで、元のパケットＰｋを復元することが好ましい。次いで、パケットＰｋの宛先アドレス（上述の通り、第２の測定モバイルインターフェース２２のアドレス）に基づき、パケットゲートウェイ１２は、パケットＰｋを基地局１０に返送すべきか判断する。既知の方法では、ステップ２０２において、基地局１０は、パケットＰｋに関し、その宛先アドレスに基づくルーティング操作を一切実行しないということに注目されたい。基地局１０は、パケットＰｋの宛先アドレスを完全に無視して自動的にカプセル化した後で、それらを元の宛先アドレスとは関係なく、パケットゲートウェイ１２に送信する。よって、パケットＰｋの送信元と宛先がともに同一の基地局１０のカバレッジエリア内に位置していようと、そのパケットＰｋは、パケットＰｋをその宛先アドレスに基づいて適切にルーティングするのに必要なルーティング機能を有する、パケットゲートウェイ１２にまで転送されてしまう。したがって、パケットゲートウェイ１２は、再度パケットＰｋをカプセル化して、基地局１０宛となる、別のカプセル化パケットＰｋｅ’のフローとする。詳細に記すと、別のカプセル化パケットＰｋｅ’の各々は、パケットゲートウェイ１２のアドレスを送信元アドレスとして含み、基地局１０のアドレスを宛先アドレスとして含むことが好ましい。モバイル通信システム１がＬＴＥシステムである場合、やはり、別のカプセル化パケットＰｋｅ’はＩＰパケットとなる。
【００６０】
次いで、パケットゲートウェイ１２は、別のカプセル化パケットＰｋｅ’を、バックホールネットワーク１１を介し、基地局１０に送信することが好ましい（ステップ２０４）。詳細に記すと、ステップ２０４において、別のカプセル化パケットＰｋｅ’は、ＢＢＵ１０１のバックホールリンク１０７およびバックホールインターフェース１０６を介し、ＢＢＵ１０１で受信される。
【００６１】
次いで、基地局１０（特に、ＢＢＵ１０１）は、別のカプセル化パケットＰｋｅ’からパケットＰｋを抽出し（ステップ２０５）、第２の測定モバイルインターフェース２２のアドレスを宛先アドレスとする、元のパケットＰｋを復元することが好ましい。このとき、ステップ２０５において、ＢＢＵ１０１は、抽出したパケットＰｋを、有線接続１０５を介し、ベースバンド信号の形でＲＲＵ１０２に送信することが好ましい。ＲＲＵ１０２は、抽出したパケットＰｋを搬送するベースバンド信号について、ベースバンドドメインから無線周波数ドメインへの変換を実行することが好ましい。
【００６２】
次いで、基地局１０は、抽出したパケットＰｋを、第２の測定モバイルインターフェース２２に転送することが好ましい（ステップ２０６）。詳細に記すと、ＲＲＵ１０２は、パケットＰｋを、無線周波数信号の形で、第２の測定インターフェース２２に転送することが好ましい。詳細に記すと、図１に示した好ましい変形形態によれば、ステップ２０６において、パケットＰｋを搬送する無線周波数信号は、有線接続１０５および有線接続２６を介して送信されるため、アンテナシステム１０３をバイパスして直接第２の測定インターフェース２２に到達する。
【００６３】
パケットＰｋは基本的に性能測定装置２とパケットゲートウェイ１２の間を行き来するため、ステップ２０１からステップ２０６にかけて、モバイル通信システム１を通じてパケットＰｋが辿る経路は、基本的には、２つの無線アクセスセクション（第１の測定モバイルインターフェース２１から基地局１０まで、そして基地局１０から第２の測定モバイルインターフェース２２まで）および２つのバックホールセクション（基地局１０からパケットゲートウェイ１２まで、そしてパケットゲートウェイ１２から基地局１０まで）を含む。
【００６４】
第１の測定モバイルインターフェース２１がパケットＰｋを基地局１０に送信している間（ステップ２０１）、装置２（特に、その測定プローブ２３）は、送信されているパケットＰｋに関する送信パラメータを生成することが好ましい（ステップ２０７）。たとえば、ステップ２０７において生成された送信パラメータは、パケットＰｋの送信タイムスタンプ、すなわち、パケットＰｋが第１の測定モバイルインターフェース２１によって送信された時刻とすることができる。
【００６５】
さらに、基地局１０がカプセル化パケットＰｋｅ（場合によっては暗号化される、パケットＰｋを含む）をパケットゲートウェイ１２に送信している間（ステップ２０３）、測定プローブ２３は、カプセル化パケットＰｋｅを検出することが好ましい（ステップ２０８）。パケットＰｋがカプセル化前に暗号化されている場合、プローブ２３は、それらを検出できるように、パケットＰｋを復号することになる。そのためには、ＢＢＵ１０１によって使用される暗号化キーを装置２が持つ必要がある（暗号化キーは基地局とパケットゲートウェイのみの間で共有されるのが典型である）。
【００６６】
測定プローブ２３によるカプセル化パケットＰｋｅの検出を可能にするために、バックホールインターフェース１０６によって送信されるすべての上りトラフィックは、そのコピーを作成できるように、（たとえば光スプリッタを介して）分割されることが好ましい。作成されたコピーは、インターフェース２４を介し、プローブ２３によって受信される。次いで、カプセル化パケットＰｋｅが搬送するパケットＰｋを一意に識別する事前定義されたフィールドの値（たとえば、パケットＰｋの送信元アドレスや宛先アドレス、または、もし存在すればマーキングフィールド）に基づき、既知の方法で上りトラフィックをフィルタリングすることにより、カプセル化パケットＰｋｅが取り出される。このようなフィルタリングを実装するために、上りトラフィックのコピーは、オフセットを用いたディープパケットインスペクションにかけられることが好ましい。これにより、カプセル化されたパケット内ヘッダの事前定義されたフィールドの値を読み取ることが可能となる。
【００６７】
次いで、装置２（特に、その測定プローブ２３）は、送信されているカプセル化パケットＰｋｅ（およびその中のカプセル化されたパケットＰｋ）に関するバックホール上りパラメータを生成することが好ましい（ステップ２０９）。たとえば、バックホール上りパラメータは、カプセル化パケットＰｋｅの送信タイムスタンプ、すなわち、カプセル化パケットＰｋｅがバックホールインターフェース１０６によって上流方向に送信された時刻とすることができる。
【００６８】
さらに、基地局１０が別のカプセル化パケットＰｋｅ’（場合によっては暗号化される、パケットＰｋを含む）をパケットゲートウェイ１２から受信している間（ステップ２０４）、バックホールプローブ２３は、別のカプセル化パケットＰｋｅ’を検出することが好ましい（ステップ２１０）。
【００６９】
測定プローブ２３によるカプセル化パケットＰｋｅ’の検出を可能にするために、バックホールインターフェース１０６において受信されるすべての下りトラフィックは、そのコピーを作成できるように、（たとえば別の光スプリッタを介して）分割されることが好ましい。作成されたコピーは、インターフェース２４’を介し、プローブ２３によって受信される。次いで、カプセル化パケットＰｋｅ’が搬送するパケットＰｋを一意に識別する事前定義されたフィールドの値（たとえば、パケットＰｋの送信元アドレスや宛先アドレス、または、もし存在すればマーキングフィールド）に基づき、既知の方法で下りトラフィックをフィルタリングすることにより、カプセル化パケットＰｋｅ’が取り出される。このようなフィルタリングを実装するために、下りトラフィックのコピーは、オフセットを用いたディープパケットインスペクションにかけられることが好ましい。これにより、カプセル化されたパケット内ヘッダの事前定義されたフィールドの値を読み取ることが可能となる。
【００７０】
次いで、装置２（特に、その測定プローブ２３）は、受信されている別のカプセル化パケットＰｋｅ’（およびその中のカプセル化されたパケットＰｋ）に関するバックホール下りパラメータを生成することが好ましい（ステップ２１１）。たとえば、バックホール下りパラメータは、別のカプセル化パケットＰｋｅ’の受信タイムスタンプ、すなわち、別のカプセル化パケットＰｋｅ’がバックホールインターフェース１０６において受信された時刻とすることができる。
【００７１】
最後に、第２の測定モバイルインターフェース２２がパケットＰｋを基地局１０から受信している間（ステップ２０５）、装置２（特に、その測定プローブ２３）は、受信されているパケットＰｋに関する受信パラメータを生成することが好ましい（ステップ２１２）。たとえば、ステップ２１２において生成された受信パラメータは、パケットＰｋの受信タイムスタンプ、すなわち、パケットＰｋが第２の測定モバイルインターフェース２２において受信された時刻とすることができる。
【００７２】
次いで、装置２の測定プローブ２３は、モバイル通信システム１の性能を、２つの測定モバイルインターフェース２１、２２の間のモバイル接続の性能として測定するために（ステップ２１３）、ステップ２０７、２０９、２１１、および２１２において生成されたパラメータを使用することが好ましい。詳細に記すと、ステップ２１３において、測定プローブ２３は、以下の性能測定のうちの少なくとも１つを実行することが好ましい。
【００７３】
（ｉ）第１の測定モバイルインターフェース２１と第２の測定モバイルインターフェース２２の間のエンドツーエンドな性能測定。かかる測定は、第１の測定モバイルインターフェース２１によって送信されているパケットＰｋｉに関する送信パラメータ（ステップ２０７において生成される）と、第２の測定モバイルインターフェース２２において受信されているパケットＰｋｉに関する受信パラメータ（ステップ２１２において生成される）とに基づいたものであることが好ましい。このタイプの測定は、基本的には、性能測定装置２とパケットゲートウェイ１２の間の往復測定となることに注目されたい。
【００７４】
（ｉｉ）第１の測定モバイルインターフェース２１から基地局１０のバックホールインターフェース１０６（上流方向）へと、基地局１０のバックホールインターフェース１０６から第２の測定モバイルインターフェース２２（下流方向）へとの、２方向性能測定。かかる測定は、それぞれ以下のパラメータに基づくことが好ましい。
【００７５】
・上流方向については、第１の測定モバイルインターフェース２１によって送信されているパケットＰｋｉに関する送信パラメータ（ステップ２０７において生成される）、およびバックホール上りパラメータ（ステップ２０９において生成される）。
【００７６】
・下流方向については、バックホール下りパラメータ（ステップ２１１において生成される）、および第２の測定モバイルインターフェース２２において受信されているパケットＰｋｉに関する受信パラメータ（ステップ２１２において生成される）。
【００７７】
この性能測定は、無線アクセスネットワークだけにうまく制限されるため（バックホールネットワーク１１およびネットワーク１３は測定から除外される）、無線アクセスネットワーク内で（具体的には、基地局１０において）発生した可能性のある問題を検出することが可能となる。さらに、この性能測定では、好都合なことに、２方向のトラフィックに関する無線アクセスネットワークの（具体的には、基地局１０の）挙動において起こり得る非対称性を検出することも可能となる。
【００７８】
（ｉｉｉ）基地局１０（特に、そのバックホールインターフェース１０６）とパケットゲートウェイ１２の間の往復性能測定。かかる測定は、バックホール上りパラメータ（ステップ２０９において生成される）と、バックホール下りパラメータ（ステップ２１１において生成される）とに基づいたものであることが好ましい。この性能測定は、バックホールネットワーク１１だけにうまく制限されるため（無線アクセスネットワークおよびネットワーク１３は測定から除外される）、バックホールネットワーク１１内で発生した可能性のある問題を検出することが可能となる。
【００７９】
たとえば、第１の測定モバイルインターフェース２１によって生成され、第２の測定モバイルインターフェース２２宛となる特定のパケットＰｋについて、処理ユニット２０は、以下のタイムスタンプを生成し得る。
【００８０】
・送信タイムスタンプＴ（ｔｘ）。パケットＰｋが、第１の測定モバイルインターフェース２１から送信された時刻を示す（ステップ２０７）。
・バックホール上りタイムスタンプＴ（ｕｐ）。パケットＰｋを搬送するカプセル化パケットＰｋｅが、バックホールインターフェース１０６からパケットゲートウェイ１２に送信された時刻を示す（ステップ２０９）。
【００８１】
・バックホール下りタイムスタンプＴ（ｄｏｗｎ）。パケットＰｋを搬送する別のカプセル化パケットＰｋｅ’が、パケットゲートウェイ１２から来てバックホールインターフェース１０６において受信された時刻を示す（ステップ２１１）。
【００８２】
・受信タイムスタンプＴ（ｒｘ）。パケットＰｋが、第２の測定モバイルインターフェース２２において受信された時刻を示す（ステップ２１２）。
このようなパラメータに基づき、ステップ２１３において、処理ユニット２０は以下を計算することができる。
【００８３】
（ｉ）第１の測定モバイルインターフェース２１と第２の測定モバイルインターフェース２２の間のパケットＰｋのエンドツーエンドな遅延（Ｔ（ｒｘ）−Ｔ（ｔｘ））。
（ｉｉ）第１の測定モバイルインターフェース２１からバックホールインターフェース１０６までのパケットＰｋの上り遅延（Ｔ（ｕｐ）−Ｔ（ｔｘ））、およびバックホールインターフェース１０６から第２の測定モバイルインターフェース２２までのパケットＰｋの下り遅延（Ｔ（ｒｘ）−Ｔ（ｄｏｗｎ））。
【００８４】
（ｉｉｉ）基地局１０（特に、そのバックホールインターフェース１０６）とパケットゲートウェイ１２の間のパケットＰｋの往復遅延（Ｔ（ｄｏｗｎ）−Ｔ（ｕｐ））。
このように、性能監視装置２は、２つのモバイルインターフェース２１、２２間のエンドツーエンドな測定の実現に加えて、無線アクセスネットワークに関する２方向測定、およびバックホールネットワークに関する往復測定を、それぞれ別個に提供するために有利である。
【００８５】
こうした性能測定のセグメント化は、好都合にも、測定するパケットのマーキングを一切必要とすることなく達成される。事実、上述の通り、測定プローブ２３は、測定対象のパケットＰｋが何らマーキングを含まなくとも、それらをうまく認識することが可能である。なぜなら、測定プローブ２３は、パケットＰｋを生成した同一装置２の一部であり、よって、そのパケットＰｋを識別する方法（たとえば、インターフェース２１、２２から取得する、パケットＰｋの送信元または宛先アドレスに基づく）を把握しているからである。したがって、装置２は、たとえば、既知のＰｉｎｇ機構に基づくものなどのパケットマーキングを一切行わずに性能測定を実行するように構成することができる。既知の技法によるスループット測定やパケットロス測定も、装置２によって実行することが可能である。
【００８６】
また、別々の装置が同期する必要もない。なぜなら、性能測定を可能にするパラメータ（たとえば、送信タイムスタンプや受信タイムスタンプなど）はすべて、装置２が単独で生成するからである。
【００８７】
さらに、装置２は、集中型エンティティを必要とすることなく、自律的に測定セッションの全体を実行することができるため、測定性能は、モバイル通信システムにおいて同時に開かれている測定セッションの数に左右されることがない。
【００８８】
装置２を単一で使用することには、さらなる利点がある。たとえば、性能を監視するために必要なハードウェアの量が減少し、性能監視コストを抑えられるという結果になる。
さらに、図１に示したように、測定モバイルインターフェース２１、２２を、ＲＲＵ１０２とアンテナシステム１０３の間の有線接続１０５に直接接続する（よって、アンテナシステム１０３を上流方向と下流方向の両方向にバイパスする）ことには、特に上で触れた、インターフェース２１、２２がアンテナシステム１０３と無線を介して通信する変形形態において、さらなる利点がある。
【００８９】
まず初めに、アンテナシステム１０３とインターフェース２１、２２のアンテナの間の無線接続が持つ本来的な変動性がもたらす性能測定の不確実性が完全に排除される。
さらに、インターフェース２１、２２を有線接続１０５に接続する有線接続２５、２６は、好都合なことに、インターフェース２１、２２を各アンテナと接続するのに必要なケーブル長よりも、はるかに短いものとなり得る。インターフェース２１、２２のアンテナは、実際に、アンテナシステム１０３から「可視」である位置に設置されることになる。典型的には、インターフェース２１、２２（装置２全体と併存する）は、保護された屋内（たとえば、建築物の地階）に設置されるため、このようなケーブル長は、数十メートルとなる場合もある。そのような長いケーブル長では、大きな電力損失が引き起こされ、インターフェース２１、２２とアンテナシステム１０３の間の無線通信を損なう可能性がある。代わりに、有線接続２５、２６は、とりわけ、それらが接合する有線接続１０５の地点がＲＲＵ１０２に近い場合には、極めて短いもの（数メートル）とすることができる。本明細書で後に詳述するが、このことにより、インターフェース２１、２２が適切に機能するように、信号電力を調整することが可能となる。
【００９０】
また、インターフェース２１、２２のアンテナの適切な位置への設置には、取り付けに関する実際的な問題を伴う場合もある。このようなアンテナの位置は、アンテナシステム１０３から「可視」となるべきであり、それと同時に、許可なくアクセスされるリスクを最小化するために保護されなくてはならない。両要件を同時に満たす位置を見出すことが容易でない場合もある。代わりに、接続２５、２６を取り付けるのははるかに容易であり、本明細書で後に詳述するように、少数の単純な無線周波数部品を用いてなされ得る。
【００９１】
図３を参照しながら、測定モバイルインターフェース２１、２２と有線接続１０５の間の接続２５、２６について、より詳細に説明する。
上述の通り、非限定的な例として、基地局１０は、単一のセルにカバレッジを提供するように構成され、単一の無線キャリア上で動作し、２ｘ２のＭＩＭＯ機能（ＬＴＥ無線通信システム向けのｅＮｏｄｅＢでは典型的なものである）を有するものと仮定されている。よって、基地局１０は、図３で描写されるように、１つのＲＲＵ１０２と、２つのアンテナ、すなわち、主アンテナ１０３（１）および副アンテナ１０３（２）を有する、ＲＲＵ１０２のアンテナシステム１０３とを備える。
【００９２】
したがって、ＲＲＵ１０２をアンテナシステム１０３に接続する有線接続１０５は、２つの独立した有線接続、すなわち、ＲＲＵ１０２を主アンテナ１０３（１）と接続する主接続１０５（１）と、ＲＲＵ１０２を副アンテナ１０３（２）と接続する副接続１０５（２）とを含む。各接続１０５（１）、１０５（２）は、それぞれの長さを持つ同軸ケーブルを含むことが好ましい。アンテナ１０３（１）および１０３（２）は、たとえば、ＭＩＭＯ機能が無線信号の偏波状態の異なりを利用する場合には、単一の物理アンテナとして実装されてよい。その場合、偏波状態の異なる無線信号は、別個の接続１０５（１）、１０５（２）を介し、ＲＲＵ１０２と交換される。
【００９３】
図１に示した、第１の測定モバイルインターフェース２１をアンテナシステム１０３に接続する有線接続２５は、第１の測定モバイルインターフェース２１をＲＲＵ１０２と主アンテナ１０３（１）の間の主接続１０５（１）と接続する主接続２５（１）と、第１の測定モバイルインターフェース２１をＲＲＵ１０２と副アンテナ１０３（２）の間の副接続１０５（２）と接続する副接続２５（２）とを含むことが好ましい。同様に、図１に示した、第２の測定モバイルインターフェース２２をアンテナシステム１０３に接続する有線接続２６は、第２の測定モバイルインターフェース２２をＲＲＵ１０２と主アンテナ１０３（１）の間の主接続１０５（１）と接続する主接続２６（１）と、第２の測定モバイルインターフェース２２をＲＲＵ１０２と副アンテナ１０３（２）の間の副接続１０５（２）と接続する副接続２６（２）とを含む。
【００９４】
以下、第１および第２の測定モバイルインターフェース２１、２２をＲＲＵ１０２と主アンテナ１０３（１）の間の主接続１０５（１）と接続する、主接続２５（１）、２６（１）について詳細に説明する。
【００９５】
図３に描かれるように、各接続２５（１）、２６（１）は、無線周波数ケーブル（好ましくは同軸ケーブル）および無線周波数コネクタによって接合される、いくつかの無線周波数部品を含む。
【００９６】
各有線接続２５（１）、２６（１）は、特に、それぞれの可変減衰器３１、３２を備えることが好ましい。これらの可変減衰器を用いることにより、インターフェース２１、２２を出入りする電力の調整を行い、受信電力が良好な受信性能を確保するには十分であり、かつ受信機を損傷しない程度に抑えられたものとなることを保証することが可能となる。この目的のために、各可変減衰器３１、３２は、５０〜６０ｄＢの範囲の減衰を導入する能力を有することが好ましい。単一の減衰器の代わりに、減衰範囲が低い、カスケード接続された複数の可変減衰器を、有線接続２５（１）、２６（１）の各々に設けてもよい。
【００９７】
有線接続２５（１）、２６（１）は、それらが主接続１０５（１）に接合する手前で、スプリッタ／コンバイナ３３によって相互に接合されることが好ましい。スプリッタ／コンバイナ３３は、接続２５と２６の各々について、３ｄＢの電力損失を発生させる。スプリッタ／コンバイナ３３は、２０ｄＢ以上のアイソレーションを有することが好ましく、２５ｄＢ以上であればより好ましい。これにより、第１のインターフェース２１から到来する電力の最小部分だけが第２のインターフェース２２に送信され、望ましくないシステム内干渉が最小化されることが保証される。
【００９８】
スプリッタ／コンバイナ３３の共通ポートは、次いで、ＲＲＵ１０２から出る主接続１０５（１）に対し、その主接続１０５（１）に挿入された方向性結合器３４を介して接続される。公知の通り、方向性結合器とは、４つのポート（図３では、ｐ１、ｐ２、ｐ３、およびｐ４と示される）を有する、受動無線周波数デバイスである。公知の通り、このデバイス内では、本線が２つのポート、ポートｐ１およびｐ２（「主ポート」とも呼ばれる）に接合する。ポートｐ３およびｐ４は、代わりに「連結ポート」と呼ばれる。また、同デバイス内では、各連結ポートｐ３、ｐ４は、主ポートｐ１、ｐ２の一方とのみ接続される。主接続１０５（１）が主ポートｐ１およびｐ２を介して方向性結合器３４に出入りし、なおかつ主ポートｐ１がＲＲＵ１０２に面し、主ポートｐ２が主アンテナ１０３（１）に面する形となるように、方向性結合器３４を主接続１０５（１）に挿入することが好ましい。有線接続２５（１）、２６（１）は、方向性結合器３４の他方の連結ポートｐ４は使用せずに残し、ＲＲＵ１０２に面した主ポートｐ１に接続された連結ポートｐ３に（スプリッタ／コンバイナ３３を介して）接続されることが好ましい。
【００９９】
アンテナシステム１０３のカバレッジが縮小しないように、方向性結合器３４は、挿入損失（すなわち、主ポートｐ１とｐ２の間の電力損失）を、たとえば約０．５ｄＢなど、１ｄＢよりも低くすることが好ましい。さらに、方向性結合器３４は、結合損失（すなわち、各主ポートとそれぞれの連結ポートの間の電力損失）を、３０ｄＢよりも大きくすることが好ましく、４０ｄＢ以上であればさらに好ましい。
【０１００】
上流方向では、第１の測定インターフェース２１はパケットＰｋを搬送する無線信号を有線接続２５（１）を介して送信するため、その無線信号は可変減衰器３１によって減衰されてからスプリッタ／結合器３３を通過して、方向性結合器３４の連結ポートｐ３に到達する。連結ポートｐ３は無線信号を主ポートｐ１に結合し、主ポートｐ１はその無線信号をＲＲＵ１０２へと転送する。
【０１０１】
逆に、下流方向では、ＲＲＵ１０２が、第２のインターフェース２２宛のパケットＰｋを搬送する無線信号を有線接続１０５（１）を介して送信するため、その無線信号は、同信号を連結ポートｐ３に結合する主ポートｐ１を介し、方向性結合器３４に入る。無線信号は、連結ポートｐ３を経由してスプリッタ／結合器３３に到達し、そこから有線接続２６（１）上で転送される。有線接続２６上では、無線信号は可変減衰器３２によって減衰されてから、第２の測定モバイルインターフェース２２によって受信される。
【０１０２】
第１および第２の測定モバイルインターフェース２１、２２をＲＲＵ１０２と副アンテナ１０３（２）の間の副接続１０５（２）と接続する、副接続２５（２）、２６（２）の構造および動作は、上で説明したものと、実質的に同一である。よって、詳細な説明は繰り返さない。図３では、副接続２５（２）、２６（２）の構成要素は、対応する主接続２５（１）、２６（１）の構成要素と同一の参照番号にプライム記号を付して示されている。
【０１０３】
以下、非限定的な例として、主接続２５（１）、２６（１）を介した、インターフェース２１、２２とＲＲＵ１０２の間の接続の例示的な電力バジェットについて記述する。以下の通りに仮定する。
【０１０４】
・ＲＲＵの下流方向の送信電力：ＰＴＸ１０２＝４０ｄＢｍ
・インターフェース２１の送信電力：ＰＴＸ２１＝２０ｄＢｍ
・方向性結合器３４の結合損失：ＣＬ３４＝４０ｄＢ
・方向性結合器３４の挿入損失：ＩＬ３４＝０．５ｄＢ
・減衰器３１、３２による減衰：ＡＴＴ＝６０ｄＢ
・スプリッタ／コンバイナ３３による損失：Ｌ３３＝３ｄＢ
・同軸ケーブルおよびコネクタによる損失：Ｌｃａｂｌｅ＝３ｄＢ
以上の仮定のもと、第２の測定モバイルインターフェース２２によって下流方向で受信される電力と、ＲＲＵ１０２によって上流方向で受信される電力とは、それぞれ以下のようになる。
【０１０５】
・ＰＲＸ２２＝ＰＴＸ１０２−ＣＬ３４−ＡＴＴ−Ｌ３３−Ｌｃａｂｌｅ＝−６６ｄＢｍ
・ＰＲＸ１０２＝ＰＴＸ２１−ＣＬ３４−ＡＴＴ−Ｌ３３−Ｌｃａｂｌｅ＝−８６ｄＢｍ
このような値（特に、値ＰＲＸ２２＝−６６ｄＢｍ）は、第２の測定モバイルインターフェース２２を損傷しない程度に抑えられたものであることが認められる。このようなインターフェースがＵＳＢドングルとして実装される場合、受信電力は−６０ｄＢｍを超えてはならない。
【０１０６】
上記の電力レベルは、ｅＮｏｄｅＢとモバイル機器の双方の側からのアンテナコネクタを基準としたものであることに注目されたい。同じ例示的な電力バジェットが、副接続２５（２）、２６（２）を介した、インターフェース２１、２２とＲＲＵ１０２の間の接続にも当てはまる。
【０１０７】
図示しない他の変形形態によれば、基地局１０自体（たとえば、ＲＲＵ１０２）が監視ポート（すなわち、発信した／受信した信号のコピーを基地局１０が出力する際に通すポート）を備え、測定モバイルインターフェース２１、２２を有線接続２５、２６を介して同監視ポートに直接接続することで、方向性結合器３４を省略するようにすることも可能である。
【０１０８】
図３の実施形態では、各可変減衰器が、両方向で同一の減衰を導入することに留意されたい。このことが最良ではない場合もある。実際、第１の測定モバイルインターフェース２１は、上流方向にパケットＰｋを送信することに加え、下りトラフィック（たとえば、送信パケットに関する肯定応答メッセージなどのシグナリングトラフィック）の受信も行うのが典型である。同様に、第２の測定モバイルインターフェース２２は、下流方向のパケットＰｋを受信することに加え、上りトラフィック（たとえば、受信パケットに関する上記肯定応答メッセージなどのシグナリングトラフィック）の送信も行うのが典型である。よって、各接続２５（１）、２５（２）、２６（１）、２６（２）は、上流方向と下流方向の両方向のトラフィック送信をサポートするのが典型である。
【０１０９】
図４は別の実施形態を示しており、この実施形態によれば、２つの独立した可変減衰器が各有線接続２５（１）、２５（２）に設けられ、一方は上流方向用、もう一方は下流方向用とされる（図４では、図面の記述が過剰とならないように、第２の測定モバイルインターフェース２２は、その有線接続２６（１）、２６（２）の各々と併せ、描写されていない。接続２５（１）、２５（２）に関する以下の検討は、接続２６（１）、２６（２）にも当てはまる）。
【０１１０】
図４に示すように、たとえば、第１の測定インターフェース２１をＲＲＵ１０２と主アンテナ１０３（１）の間の主接続１０５（１）と接続する有線接続２５（１）を参照すれば、この接続は、２つのサーキュレータ３５、３５’を備えることが好ましい。これらのサーキュレータは、接続２５（１）を２つの支線、すなわち、上流支線と下流支線に分岐させる。上流支線は、上流可変減衰器３１ｕおよび上り帯域幅の中心に位置する上流フィルタ３６ｕを備えることが好ましく、下流支線は、下流可変減衰器３１ｄおよび下り帯域幅の中心に位置する下流フィルタ３６ｄを備えることが好ましい。同様に、第１の測定インターフェース２１をＲＲＵ１０２と副アンテナ１０３（２）の間の副接続１０５（２）と接続する有線接続２５（２）は、２つのサーキュレータ３５”、３５”’を備える。これらのサーキュレータは、接続２５（２）を２つの支線、すなわち、上流支線と下流支線に分岐させる。上流支線は、上流可変減衰器３１ｕ’および上り帯域幅の中心に位置する上流フィルタ３６ｕ’を備えることが好ましく、下流支線は、下流可変減衰器３１ｄ’および下り帯域幅の中心に位置する下流フィルタ３６ｄ’を備えることが好ましい。
【０１１１】
したがって、この変形形態によれば、上流方向と下流方向で別々に電力バジェットを最適化し、それらの性能を一様にすることが可能となる。
図５は、本発明の第２の実施形態による、性能測定装置２を示す図である。
【０１１２】
第２の実施形態によれば、性能測定装置２は、基地局１０内に組み込まれる。詳細に記すと、性能測定装置２は、基地局１０のＢＢＵ１０１内に組み込まれることが好ましい。その場合、測定プローブ２３は、バックホールインターフェース１０６に直接接続され、よって測定するパケットを検出することが可能となる。したがって、インターフェース２４、２４’は、第２の実施形態では不要となる。
【０１１３】
図１で示した第１の実施形態（および図２から図４で示した変形形態）の上記利点に加え、この第２の実施形態では、基地局自体の中で性能測定機能を統合することにより、要求されるハードウェアの量を減らし、最終的に性能監視コストを抑えられるという利点ももたらされる。さらに、好都合なことに、パケットＰｋがカプセル化前に暗号化される場合、プローブ２３によるパケットＰｋの検出が容易化される。装置２は、基地局１０内に組み込まれるため、パケットＰｋを復号するための暗号化キーを本来的に所有し、よってパケットＰｋを検出する。あるいは、プローブ２３は、パケットＰｋが暗号化およびカプセル化される前に、それらを傍受するように構成されてもよい。
【０１１４】
図６は、図１に示した性能測定装置２の代替適用例を示す。先に触れたように、装置２は中央サーバと対話する必要なく、特定数の性能測定を自律的に実行することが可能ではあるが、それでもなお、他のタイプの性能測定を行うために、リモートサーバと併用することも可能である。
【０１１５】
たとえば、図６に示すように、リモートサーバ７がネットワーク１３内に実装されてよい。リモートサーバ７は、測定モバイルインターフェース２１、２２のいずれかと別のパケットフロー（インターフェース２１、２２間で交換されるパケットＰｋ以外）を交換すると仮定すれば、リモートサーバ７と装置２が連携することにより、装置２の測定モバイルインターフェース２１、２２のいずれかとリモートサーバ７の間の接続に関する２方向のエンドツーエンドな測定がうまく実現され得る。したがって、パケットＰｋがリモートサーバ７によって認識可能であることを条件に、サーバ７は、ネットワーク１３にまで性能測定を拡大することが可能である。
【０１１６】
パケットがマーキングされる場合、基地局１０とリモートサーバ７の間のパケットの送信経路沿いに、他のプローブを設けることができる。かかる別のプローブを用いることにより、パケットの送信経路のさらなるセグメント化が可能となり、よって、その経路の各セグメントに対する個別の性能測定が実現される。
【０１１７】
図示しない他の変形形態によれば、第１の測定モバイルインターフェース２１および第２の測定モバイルインターフェース２２は、一意のアドレス（ＬＴＥの場合はＩＰアドレス）を持つ同一のモバイルインターフェースに統合される。このような変形形態によれば、一意のモバイルインターフェースによって生成されたパケットＰｋは、宛先アドレスと同じ送信元アドレスを持つことになる。このような変形形態を実際に実装するためには、基地局１０およびパケットゲートウェイ１２は、パケットＰｋを破棄しないように構成されることが好ましい（両者の送信元アドレスが両者の宛先アドレスと等しいため、ネットワーク装置によっては、このようなパケットを無効とみなして破棄する可能性がある）。かかる変形形態では、一意の測定モバイルインターフェースを有する装置２を基地局１０自体の中に組み込むことにより、パケットＰｋを破棄しないように基地局１０を構成する作業がうまく容易化される。
【０１１８】
最後に、先に触れたように、第１の測定モバイルインターフェース２１によって送信されたパケットＰｋが、ＢＢＵ１０１またはパケットゲートウェイ１２によってパケットＰｋｅまたはＰｋｅ’へとカプセル化される前に暗号化される場合、測定プローブ２３は、パケットＰｋを復号し、バックホールインターフェース１０６を介して基地局１０に出入りするすべてのトラフィックの中からパケットＰｋを識別するために、復号キーを持つことになる。上述したように、基地局１０内に装置２を実装することにより、この処理が容易化される。なぜなら、このような場合、装置２（したがって、測定プローブ２３も）は、本来的に復号キーを持つか、あるいは、パケットＰｋが暗号化される前（上流方向）またはＢＢＵ１０１によって復号された後（下流方向）に、そのパケットＰｋをフィルタリングすることが可能だからである。
【０１１９】
代替的な実施形態によれば、ＢＢＵ１０１は、測定プローブ２３によるパケットＰｋの識別を可能にするパケットヘッダのフィールド（たとえば、パケットＰｋがマーキングされるのであればマーキングフィールド）を、ＢＢＵ１０１が自身のバックホールインターフェース１０６を介してパケットゲートウェイ１２に送信するパケットＰｋｅのヘッダの事前定義されたフィールドへとマッピングまたはコピーすることが好ましい。同様に、この実施形態によれば、パケットゲートウェイ１２は、測定プローブ２３によるパケットＰｋの識別を可能にするパケットヘッダのフィールド（たとえば、パケットＰｋがマーキングされるのであればマーキングフィールド）を、パケットゲートウェイ１２がＢＢＵ１０１のバックホールインターフェース１０６に送信するパケットＰｋｅ’のヘッダの事前定義されたフィールドへとマッピングまたはコピーすることが好ましい。これにより、好都合なことに、測定プローブ２３は、ディープパケットインスペクションやパケットＰｋの復号を実行することなく、パケットＰｋを搬送するパケットＰｋｅおよびＰｋｅ’のヘッダの事前定義されたフィールドの値に基づき、それらのパケットを認識することが可能となる。
【０１２０】
この目的のために、特に好ましい変形形態によれば、パケットＰｋのＩＰヘッダ内にある、公知の３ビットの「フラグフィールド」の予約ビットが、マーキングフィールドとして使用され、パケットＰｋｅおよびＰｋｅ’のＩＰヘッダ内にある、対応する３ビットの「フラグフィールド」の予約ビットが、パケットＰｋのマーキングフィールドの値をコピーするために使用される。
【０１２１】
この方法では、原理的に、パケットＰｋの交互のマーキングを行うことはできない（「未使用ビット」フィールド内の値に「１」を用いることで、パケットＰｋを、その値が「０」であることによって識別される他のパケットから区別することが可能となる。したがって、値「０」は、パケットＰｋの交互のマーキングの実装を可能にする、第２の交互マーキング値として利用することはできない）。
【０１２２】
さらに好ましい変形形態によれば、マーキングされたパケットＰｋを交互のブロックに分けるために、パケットＰｋの連続したブロックを送信する合間にタイムギャップが設けられる。このタイムギャップは、異なるブロックのパケットＰｋ間で受信シーケンスエラーが発生しない程度に長い時間を選択することが好ましい。たとえば、ブロック期間が５分であれば、４分をパケットＰｋのブロックの送信に充て、１分をタイムギャップに充てることができる。
【図１】
0006538173.tif 000002
【図２】
0006538173.tif 000003
【図３】
0006538173.tif 000004
【図４】
0006538173.tif 000005
【図５】
0006538173.tif 000006
【図６】
0006538173.tif 000007